(57)【要約】【課題】刃形接触子と温度センサとの距離精度を向上させることが可能なプラグを提供する。【解決手段】複数の刃形接触子１０と、複数の第１電線６１と、複数の温度センサ４０と、複数の第２電線６３と、複数のセンサ保持体５０と、ボディ３２と、カバー３１と、モールド部と、を備える。複数の温度センサ４０は、複数の刃形接触子１０の温度をそれぞれ検知する。複数のセンサ保持体５０は、複数の温度センサ４０それぞれを１つずつ保持する。モールド部は、ボディ３２とカバー３１とで構成されるハウジングの内側及び外側をモールドしている。複数のセンサ保持体５０の各々に、複数の温度センサ４０のうち対応する温度センサ４０と、複数の刃形接触子１０のうち対応する刃形接触子１０と、がそれぞれ圧入されている。【選択図】図５
2018101514.tif 000002
【特許請求の範囲】
【請求項１】
それぞれ電線接続部を有する複数の刃形接触子と、
前記複数の刃形接触子それぞれの前記電線接続部に１本ずつ接続される複数の第１電線と、
前記複数の刃形接触子の温度をそれぞれ検知する複数の温度センサと、
前記複数の温度センサそれぞれに１本ずつ接続される複数の第２電線と、
前記複数の温度センサそれぞれを１つずつ保持する複数のセンサ保持体と、
一面に開口を有する箱状であり、前記複数のセンサ保持体と前記複数の温度センサと前記複数の第１電線それぞれの一部と前記複数の第２電線それぞれの一部とを収納するボディと、
前記複数の刃形接触子それぞれが挿通される複数の接触子挿通孔を有し前記ボディの前記開口を覆うように前記ボディに結合されるカバーと、
前記ボディと前記カバーとで構成されるハウジングの内側及び外側をモールドしているモールド部と、
を備え、
前記複数のセンサ保持体の各々に、前記複数の温度センサのうち対応する温度センサと、前記複数の刃形接触子のうち対応する刃形接触子と、がそれぞれ圧入されている
ことを特徴とするプラグ。
【請求項２】
前記複数のセンサ保持体の各々は、
前記ボディ内において前記ボディの底壁に対向するベース部と、
それぞれ前記ベース部から前記底壁に向かって突出し互いに対向する第１壁及び第２壁と、
前記第２壁から前記第１壁に向かって突出し前記第１壁との間で前記複数の温度センサのうち対応する温度センサを保持する温度センサ圧入用リブと、
前記第１壁から見て前記第２壁側とは反対側において前記第１壁との間に前記複数の刃形接触子のうち対応する刃形接触子の前記電線接続部を保持するように前記電線接続部の幅方向の両側それぞれに位置する第３壁及び第４壁と、
前記第３壁から前記第１壁に向かって突出し前記第１壁との間で前記電線接続部を保持する接触子圧入用リブと、を有する
ことを特徴とする請求項１記載のプラグ。
【請求項３】
前記複数の刃形接触子の各々は、前記電線接続部と、前記ハウジングの内側に位置する基端及び前記ハウジングの外側に位置する先端を有し前記複数の接触子挿通孔のうち対応する接触子挿通孔に挿通されるコンタクト部と、前記コンタクト部の基端と前記電線接続部における前記カバー側の端とを繋いでいる連結部と、を備え、
前記複数の刃形接触子それぞれの前記連結部が、前記カバーの厚さ方向から見て、前記複数の刃形接触子それぞれに一対一に対応する前記複数のセンサ保持体の前記ベース部に重なっている
ことを特徴とする請求項２記載のプラグ。
【請求項４】
前記複数の温度センサの各々は、サーミスタであり、サーミスタ素子と、前記サーミスタ素子をモールドしている被覆部と、前記被覆部の厚さ方向に沿った第１面から突出している一対のリード端子と、前記被覆部の前記第１面とは反対側の第２面において前記被覆部の厚さ方向の一端から突出している伝熱板と、を有し、
前記温度センサ圧入用リブは、前記伝熱板における前記第１壁側とは反対側の表面に当たっている
ことを特徴とする請求項２又は３記載のプラグ。
【請求項５】
前記センサ保持体の各々は、前記被覆部の前記第１面側において前記第１壁から前記電線接続部側とは反対側へ突出し前記第１壁の厚さ方向において前記電線接続部に重なる第１リブと、前記被覆部の前記第２面側において前記第２壁から前記第１壁に向かって突出した第２リブと、を更に有し、前記第１リブと前記第２リブとの距離を前記第１リブと温度センサ圧入用リブとの距離よりも短くするように前記第２リブが配置されている
ことを特徴とする請求項４記載のプラグ。
【請求項６】
前記複数の第１電線の各々は、導体部と前記導体部を被覆している絶縁被覆とを含む絶縁被覆電線であり、
前記複数の第１電線の各々では、前記導体部のうち前記絶縁被覆により覆われていない部分が前記電線接続部に電気的に接続されており、
前記複数の刃形接触子の各々は、電線保持部を更に備え、
前記電線保持部は、前記電線接続部の幅方向の一側縁から外方へ突出しており、前記複数の第１電線のうち対応する第１電線を外周方向に沿って囲んで第１電線を保持している
ことを特徴とする請求項２乃至５のいずれか一項に記載のプラグ。
【請求項７】
前記複数のセンサ保持体の各々は、前記第１壁の先端面から突出する複数の突起が形成されている
ことを特徴とする請求項２乃至６のいずれか一項に記載のプラグ。
【請求項８】
前記複数のセンサ保持体の各々は、前記ベース部の厚さ方向に形成された貫通孔を有し、
前記貫通孔は、前記複数の温度センサのうち前記ベース部に重なっている温度センサに重ならない位置に形成されている
ことを特徴とする請求項２乃至７のいずれか一項に記載のプラグ。
【請求項９】
前記複数の第１電線が、前記ボディ内において前記ボディの周壁に沿って配置されて前記ボディの底壁の厚さ方向において互いに重なっており、
前記ボディの前記底壁から突出し前記周壁との間に前記複数の第１電線のうちの少なくとも１つの第１電線を保持するリブを更に備える
ことを特徴とする請求項２乃至８のいずれか一項に記載のプラグ。
【請求項１０】
接地線接続部を有する接地刃と、前記接地刃の前記接地線接続部に接続される接地線と、を更に備え、
前記カバーは、前記接地刃が挿通される接地刃挿通孔を更に有し、
前記接地線の一部が前記ボディに収納されており、
前記接地線は、前記ボディ内において前記周壁に沿って配置され、前記ボディの前記底壁の厚さ方向において前記複数の第１電線と重なっている
ことを特徴とする請求項９記載のプラグ。
【請求項１１】
前記複数のセンサ保持体の各々では、前記第１壁の厚さ方向において前記ボディの前記周壁に近い側に前記第３壁及び前記第４壁が位置し、前記ボディの前記周壁から遠い側に前記第２壁が位置している
ことを特徴とする請求項９又は１０記載のプラグ。
【発明の詳細な説明】
【技術分野】
【０００１】
本発明は、一般にプラグに関し、より詳細には、温度センサを備えるプラグに関する。
【背景技術】
【０００２】
従来、プラグとして、一対の栓刃（刃形接触子）と、接地ピンと、一対の栓刃及び接地ピンを保持する中子と、中子を覆うように成形された外郭と、を備えるプラグが提案されている（特許文献１）。
【０００３】
中子は、一対の栓刃及び接地ピンを挿通される合成樹脂製のボディと、２個の温度センサを保持してボディに結合した合成樹脂製のセンサ保持体と、を備える。
【０００４】
特許文献１に記載されたプラグでは、その組み立て時に、２個の温度センサを保持させたセンサ保持体の２つの壁部それぞれに１つの栓刃を沿わせた状態で、ボディに一対の栓刃及び接地ピンを挿通させボディをセンサ保持体に結合させる。
【先行技術文献】
【特許文献】
【０００５】
【特許文献１】特開２０１５−１１６０７９号公報
【発明の概要】
【発明が解決しようとする課題】
【０００６】
特許文献１に記載されたプラグでは、その組み立て時に、ボディ及びセンサ保持体それぞれの寸法ばらつき等に起因して栓刃が傾いて栓刃とセンサ保持体の壁部との間に隙間ができてしまうことがあった。
【０００７】
本発明の目的は、刃形接触子と温度センサとの距離精度を向上させることが可能なプラグを提供することにある。
【課題を解決するための手段】
【０００８】
本発明に係る一態様のプラグは、複数の刃形接触子と、複数の第１電線と、複数の温度センサと、複数の第２電線と、複数のセンサ保持体と、ボディと、カバーと、モールド部と、を備える。前記複数の刃形接触子は、それぞれ電線接続部を有する。前記複数の第１電線は、前記複数の刃形接触子それぞれの前記電線接続部に１本ずつ接続される。前記複数の温度センサは、前記複数の刃形接触子の温度をそれぞれ検知する。前記複数の第２電線は、前記複数の温度センサそれぞれに１本ずつ接続される。前記複数のセンサ保持体は、前記複数の温度センサそれぞれを１つずつ保持する。前記ボディは、一面に開口を有する箱状である。前記ボディは、前記複数のセンサ保持体と前記複数の温度センサと前記複数の第１電線それぞれの一部と前記複数の第２電線それぞれの一部とを収納する。前記カバーは、前記複数の刃形接触子それぞれが挿通される複数の接触子挿通孔を有する。前記カバーは、前記ボディの前記開口を覆うように前記ボディに結合される。前記モールド部は、前記ボディと前記カバーとで構成されるハウジングの内側及び外側をモールドしている。前記複数のセンサ保持体の各々に、前記複数の温度センサのうち対応する温度センサと、前記複数の刃形接触子のうち対応する刃形接触子と、がそれぞれ圧入されている。
【発明の効果】
【０００９】
本発明のプラグは、刃形接触子と温度センサとの距離精度を向上させることが可能となる。
【図面の簡単な説明】
【００１０】
【図１】図１は、本発明の一実施形態に係るプラグの斜視図である。
【図２】図２Ａは、同上のプラグの正面図である。図２Ｂは、同上のプラグの平面図である。図２Ｃは、同上のプラグの右側面図である。図２Ｄは、同上のプラグの背面図である。
【図３】図３は、同上のプラグを示し、図２ＡのＡ−Ａ線断面図である。
【図４】図４は、同上のプラグの正面側から見た分解斜視図である。
【図５】図５は、同上のプラグの背面側から見た分解斜視図である。
【図６】図６は、同上のプラグにおいてモールド部を形成する前の状態の正面図である。
【図７】図７は、同上のプラグにおいてモールド部を形成する前の状態でボディからカバーを取り外した状態の正面図である。
【図８】図８は、同上のプラグにおいてモールド部を形成する前の状態でボディからカバーを取り外した状態の斜視図である。
【図９】図９Ａは、同上のプラグにおいてモールド部を形成する前の状態でカバーからボディを取り外した状態の背面図である。図９Ｂは、図９Ａの要部Ｂの拡大図である。図９Ｃは、図９Ａの要部Ｃの拡大図である。
【図１０】図１０Ａは、同上のプラグの要部の斜視図である。図１０Ｂは、同上のプラグの要部を図１０Ａとは別の向きから見た斜視図である。
【発明を実施するための形態】
【００１１】
（実施形態）
以下では、本実施形態のプラグ１について、図１〜１０Ｂに基づいて説明する。
【００１２】
プラグ１は、一例として、中華人民共和国のＧＢ  １００２−２００８の規格に適合するプラグである。プラグ１は、複数（２つ）の刃形接触子１０と、１つの接地刃２０と、プラグ本体３０と、複数（２つ）の温度センサ４０（図４、５、９、１０Ａ及び１０Ｂ）と、複数（２つ）のセンサ保持体５０（図４、５、７〜１０Ａ及び１０Ｂ）と、ケーブル６０と、を備える。２つの刃形接触子１０及び１つの接地刃２０のそれぞれは、導電性を有する。以下、説明の便宜上、２つの刃形接触子１０の一方を第１刃形接触子１０Ａといい、他方を第２刃形接触子１０Ｂということもある。また、説明の便宜上、２つの温度センサ４０の一方を第１温度センサ４０Ａといい、他方を第２温度センサ４０Ｂということもある。また、説明の便宜上、２つのセンサ保持体５０の一方を第１センサ保持体５０Ａといい、他方を第２センサ保持体５０Ｂということもある。プラグ本体３０は、電気絶縁性を有するハウジング３８を備える。
【００１３】
ケーブル６０は、図４、５、７〜９に示すように、複数（２つ）の第１電線６１と、１つの接地線６２と、複数（２つ）の第２電線６３と、シース６６と、を備える。ケーブル６０の第１端では各第１電線６１、接地線６２及び各第２電線６３がシース６６から露出し、ケーブル６０の第２端は任意の機器に接続される。任意の機器は、例えば、ＣＣＩＤ（Charge Circuit Interrupt Device）を有する充電制御器、プラグ、レセプタクル等である。任意の機器は、プラグ１に必須の構成要素ではない。以下では、説明の便宜上、２つの第１電線６１の一方を第１通電線６１Ａといい、他方の第１電線６１を第２通電線６１Ｂということもある。第１通電線６１Ａ及び第２通電線６１Ｂは、電圧線である。また、以下では、説明の便宜上、２つの第２電線６３の一方を第１信号線６３Ａといい、他方を第２信号線６３Ｂということもある。第１通電線６１Ａは第１刃形接触子１０Ａに、第２通電線６１Ｂは第２刃形接触子１０Ｂに、接地線６２は接地刃２０に、第１信号線６３Ａは第１温度センサ４０Ａに、第２信号線６３Ｂは第２温度センサ４０Ｂに、それぞれ電気的に接続される。
【００１４】
２つの刃形接触子１０の各々は、導電性を有する。ここにおいて、２つの刃形接触子１０の各々の材質は、例えば、黄銅であるが、これに限らない。２つの刃形接触子１０の各々は、図３及び５に示すように、コンタクト部１１と、電線接続部１２と、連結部１３と、電線保持部１４と、を備える。２つの刃形接触子１０の各々は、導電板に曲げ加工等を施すことにより形成されている。
【００１５】
電線接続部１２は、矩形板状である。第１刃形接触子１０Ａの電線接続部１２には、第１通電線６１Ａが接続される。第２刃形接触子１０Ｂの電線接続部１２には、第２通電線６１Ｂが接続される。２つの第１電線６１の各々は、図７及び８に示すように、導体部６１１と導体部６１１を被覆している絶縁被覆６１２とを含む絶縁被覆電線である。２つの第１電線６１の各々は、導体部６１１のうち絶縁被覆６１２により覆われていない部分が電線接続部１２に電気的に接続されている。導体部６１１と電線接続部１２とは、溶接により接続されているが、これに限らず、例えば、はんだにより接続されていてもよい。
【００１６】
コンタクト部１１は、長尺の矩形板状である。コンタクト部１１は、その長さ方向をカバー３１の厚さ方向に揃えるように配置される。ここにおいて、コンタクト部１１は、カバー３１の接触子挿通孔３１２に挿通される。より詳細には、第１刃形接触子１０Ａのコンタクト部１１は、カバー３１の第１接触子挿通孔３１２Ａに挿通され、第２刃形接触子１０Ｂのコンタクト部１１は、カバー３１の第２接触子挿通孔３１２Ｂに挿通される。コンタクト部１１は、ハウジング３８の内側に位置する基端１１２と、ハウジング３８の外側に位置する先端１１１と、を有する。コンタクト部１１の先端１１１側は、プラグ１に対応するレセプタクルとの電気的接続に使用される。
【００１７】
複数の刃形接触子１０は、コンタクト部１１の長さ方向が互いに平行するように配置される。プラグ１では、第１刃形接触子１０Ａ及び第２刃形接触子１０Ｂは、第１方向（プラグの前後方向、図２Ｃにおける左右方向）にそれぞれの長さ方向が平行し、第１方向に直交する第２方向（プラグ１の左右方向、図２Ａにおける左右方向）において間隔を空けて配置される。以下では、第１方向と第２方向とに直交する方向を第３方向として説明する。第１刃形接触子１０Ａの厚さ方向と第３方向とのなす２つの角度のうち大きい角度は、例えば、１２０度である。また、第２刃形接触子１０Ｂの厚さ方向と第３方向とのなす２つの角度のうち大きい角度は、例えば、１２０度である。要するに、第１刃形接触子１０Ａの厚さ方向と第２刃形接触子１０Ｂの厚さ方向とは非平行である。第１刃形接触子１０Ａの厚さ方向と第２刃形接触子１０Ｂの厚さ方向とのなす角度のうち小さい角度は、例えば、１２０度である。
【００１８】
連結部１３は、コンタクト部１１の基端１１２と電線接続部１２におけるカバー３１側の端とを繋いでいる。ここにおいて、カバー３１の厚さ方向におけるカバー３１と連結部１３との距離は、コンタクト部１１のうちハウジング３８内に配置される部位の長さよりも大きい。また、コンタクト部１１と電線接続部１２とは互いの厚さ方向に沿った方向においてずれており、電線接続部１２とボディ３２の周壁３２２との距離が、コンタクト部１１とボディ３２の周壁３２２との距離よりも大きい。複数の刃形接触子１０それぞれの連結部１３は、カバー３１の厚さ方向から見て、センサ保持体５０のベース部５３に重なっている。
【００１９】
複数の刃形接触子１０の各々は、電線保持部１４を更に備える。電線保持部１４は、電線接続部１２の幅方向の一側縁から外方へ突出している。電線保持部１４は、電線接続部１２に接続された第１電線６１を外周方向に沿って囲んで第１電線６１を保持している。電線保持部１４は、電線接続部１２の幅方向から見てＣ字状である。電線保持部１４は、第１電線６１を挿通された後にかしめられている。電線接続部１２の幅は、コンタクト部１１の幅及び連結部１３の幅よりも大きい。
【００２０】
接地刃２０は、導電性を有する。ここにおいて、接地刃２０の材質は、例えば、黄銅であるが、これに限らない。接地刃２０は、図５に示すように、接地コンタクト部２１と、接地線接続部２２と、連結部２３と、接地線保持部２４と、を備える。接地刃２０は、導電板に曲げ加工等を施すことにより形成されている。
【００２１】
接地線接続部２２は、矩形板状である。接地線接続部２２には、接地線６２が接続される。接地線６２は、図７及び８に示すように、導体部６２１と導体部６２１を被覆している絶縁被覆６２２とを含む絶縁被覆電線である。接地線６２は、導体部６２１のうち絶縁被覆６２２により覆われていない部分が接地線接続部２２に電気的に接続されている。導体部６２１と接地線接続部２２とは、溶接により接続されているが、これに限らず、例えば、はんだにより接続されていてもよい。接地線保持部２４は、接地線６２を挿通された後にかしめられている。
【００２２】
接地コンタクト部２１は、長尺の矩形板状である。接地コンタクト部２１は、その長さ方向をカバー３１の厚さ方向に揃えるように配置される。ここにおいて、接地コンタクト部２１は、カバー３１の接地刃挿通孔３１３（図４参照）に挿通される。接地コンタクト部２１は、図５に示すように、ハウジング３８の内側に位置する基端２１２と、ハウジング３８の外側に位置する先端２１１と、を有する。接地コンタクト部２１の先端２１１側は、プラグ１に対応するレセプタクルの接地用刃受けとの電気的接続に使用される。
【００２３】
接地刃２０は、接地コンタクト部２１の長さ方向が刃形接触子１０のコンタクト部１１の長さ方向に平行するように配置される。接地刃２０のカバー３１の前面３１１からの突出寸法は、刃形接触子１０のカバー３１の前面３１１からの突出寸法よりも大きい。プラグ１では、接地刃２０は、厚さ方向を上記の第２方向とするように配置されている。接地刃２０の厚さ方向と第１刃形接触子１０Ａの厚さ方向とのなす２つの角度のうち小さい角度は、例えば、１２０度である。また、接地刃２０の厚さ方向と第２刃形接触子１０Ｂの厚さ方向とのなす２つの角度のうち小さい角度は、例えば、１２０度である。
【００２４】
複数の温度センサ４０の各々は、サーミスタであり、サーミスタ素子（図示せず）と、被覆部４２と、一対のリード端子４４、４５と、伝熱板４３と、を有する。サーミスタ素子は、周囲温度に応じてその抵抗値が変化する。
【００２５】
被覆部４２は、サーミスタ素子をモールドしている。被覆部４２は、サーミスタ素子を収納するケースとしての機能を有する。被覆部４２は、電気絶縁性を有する。ここにおいて、被覆部４２は、例えば、ＰＢＴ樹脂により形成されている。
【００２６】
一対のリード端子４４、４５は、例えば、はんだめっき被覆鋼線により形成されている。一対のリード端子４４、４５は、被覆部４２の第１面４２１から突出している。伝熱板４３は、被覆部４２の第１面４２１とは反対側の第２面４２２において被覆部４２の厚さ方向の一方の端から突出している。
【００２７】
伝熱板４３は、被覆部４２において第１面４２１とは反対側の第２面４２２から突出している。伝熱板４３は、例えば、銅合金板である。伝熱板４３は、一例として、ラグ端子により構成されている。
【００２８】
サーミスタは、例えば、ＰＴＣサーミスタである。ＰＴＣサーミスタとしては、例えば、ラグ端子付きのＰＴＣサーミスタを用いることができる。
【００２９】
図１０Ａに示すように、第１温度センサ４０Ａのリード端子４４と第２温度センサ４０Ｂのリード端子４５とが互いに電気的に接続されている。つまり、第１温度センサ４０Ａと第２温度センサ４０Ｂとは直列に接続されている。図９Ａに示すように、第１温度センサ４０Ａのリード端子４５は、第２電線６３（第１信号線６３Ａ）に接続されている。第２温度センサ４０Ｂのリード端子４４は、第２電線６３（第２信号線６３Ｂ）に接続されている。２つの第２電線６３の各々は、図９に示すように、導体部６３１と導体部６３１を被覆している絶縁被覆６３２とを含む絶縁被覆電線である。第１信号線６３Ａでは、導体部６３１のうち絶縁被覆６３２により覆われていない部分が第１温度センサ４０Ａのリード端子４５に電気的に接続されている。第２信号線６３Ｂでは、導体部６３１のうち絶縁被覆６３２により覆われていない部分が第２温度センサ４０Ｂのリード端子４４に電気的に接続されている。
【００３０】
複数の温度センサ４０は、複数の刃形接触子１０の温度をそれぞれ検知する。より詳細には、第１温度センサ４０Ａは、第１刃形接触子１０Ａの温度を検知するために使用される。第２温度センサ４０Ｂは、第２刃形接触子１０Ｂの温度を検知するために使用される。
【００３１】
複数のセンサ保持体５０については、プラグ本体３０を説明した後で、詳述する。
【００３２】
プラグ本体３０は、図２〜図４に示すように、ボディ３２と、カバー３１と、３本のねじ３７と、モールド部３３と、を備える。ボディ３２、カバー３１及びモールド部３３それぞれは、電気絶縁性を有する樹脂により形成されている。ボディ３２の材質は、例えば、ＰＢＴである。カバー３１の材質は、例えば、メラミン樹脂である。モールド部３３の材質は、例えば、塩化ビニルである。
【００３３】
ボディ３２は、一面に開口を有する箱状である。ボディ３２の外周形状は、略六角形状である。ボディ３２は、複数のセンサ保持体５０と複数の温度センサ４０と複数の第１電線６１それぞれの一部と複数の第２電線６３それぞれの一部とを収納する。ここにおいて、ボディ３２では、図４、７及び８に示すように、ボディ３２の内部空間を３つの空間に区画するためのＴ字状の仕切壁３２６が底壁３２１から突出して形成されている。３つの空間の１つの空間に第１センサ保持体５０Ａ、第１温度センサ４０Ａ及び第１刃形接触子１０Ａの電線接続部１２が収納され、別の１つの空間に第２センサ保持体５０Ｂ、第２温度センサ４０Ｂ及び第２刃形接触子１０Ｂの電線接続部１２が収納され、残りの１つの空間に接地刃２０の接地線接続部２２が収納される。また、複数の第１電線６１は、ボディ３２内においてボディ３２の周壁３２２に沿って配置されてボディ３２の底壁３２１の厚さ方向において互いに重なっている。プラグ１は、図７に示すように、ボディ３２の底壁３２１から突出し周壁３２２との間に複数の第１電線６１のうちの少なくとも１つの第１電線６１を保持するリブ３２５を更に備える。
【００３４】
プラグ１では、接地線６２の一部がボディ３２に収納されている。接地線６２は、ボディ３２内において周壁３２２に沿って配置され、ボディ３２の底壁３２１の厚さ方向において複数の第１電線６１と重なっている。
【００３５】
カバー３１は、複数の刃形接触子１０それぞれが挿通される複数の接触子挿通孔３１２を有する。以下、説明の便宜上、２つの接触子挿通孔３１２の一方を第１接触子挿通孔３１２Ａといい、他方を第２接触子挿通孔３１２Ｂという。また、カバー３１は、接地刃２０が挿通される接地刃挿通孔３１３を有する。複数の接触子挿通孔３１２及び接地刃挿通孔３１３は、カバー３１の厚さ方向に貫通している。カバー３１は、ボディ３２の開口を覆うようにボディ３２に結合される。カバー３１とボディ３２とは、図４に示すように、３つのねじ３７を用いて結合される。カバー３１には、３つのねじ３７のそれぞれが挿通される３つの孔３１７が形成されている。ボディ３２には、３つのねじ３７のそれぞれが嵌め合される３つのねじ孔３２７が形成されている。
【００３６】
プラグ本体３０では、ボディ３２とカバー３１とでハウジング３８が構成される。カバー３１は、ハウジング３８の前壁部分を構成する。また、カバー３１は、プラグ本体３０の前壁部分を構成する。
【００３７】
ハウジング３８は、ケーブル６０を通すケーブル挿通孔を有する。ケーブル挿通孔の内周面には、ケーブル６０に作用する張力を低減する張力止め構造が設けられている。ハウジング３８には、モールド部３３の成形材料をハウジング３８の外側から内側へ注入するための複数の孔３８１（図３及び６参照）が形成されている。
【００３８】
モールド部３３は、ハウジング３８の内側及び外側をモールドしている。これにより、ハウジング３８内には、空洞が形成されないようにモールド部３３の成形材料が充填されている。また、モールド部３３は、図２Ａ、２Ｃ及び２Ｄに示すように、カバー３１の前面３１１の中央部分及びケーブル６０を露出させるようにハウジング３８を覆う。モールド部３３は、あらかじめ用意された部品ではない。そのため、モールド部３３は、図４及び５には描かれていない。
【００３９】
複数のセンサ保持体５０（図３〜５、７〜１０Ｂ参照）の各々は、電気絶縁性を有する樹脂により形成されている。複数のセンサ保持体５０の各々の材質は、例えば、ＰＢＴである。
【００４０】
プラグ１では、図９Ａ〜１０Ｃに示すように、複数のセンサ保持体５０の各々に、複数の温度センサ４０のうち対応する温度センサ４０と、複数の刃形接触子１０のうち対応する刃形接触子１０と、がそれぞれ圧入されている。ここにおいて、第１センサ保持体５０Ａには、第１温度センサ４０Ａ及び第１刃形接触子１０Ａが圧入されている。第２センサ保持体５０Ｂには、第２温度センサ４０Ｂ及び第２刃形接触子１０Ｂが圧入されている。ここにおいて、複数のセンサ保持体５０の各々は、ベース部５３と、第１壁５１及び第２壁５２と、温度センサ圧入用リブ５５と、第３壁５４ａ及び第４壁５４ｂと、接触子圧入用リブ５６と、を有する。
【００４１】
ベース部５３は、図３に示すように、ボディ３２内においてボディ３２の底壁３２１に対向する。第１壁５１及び第２壁５２は、それぞれベース部５３からボディ３２の底壁３２１に向かって突出し互いに対向する。温度センサ圧入用リブ５５は、図９Ｂ〜１０Ｃに示すように、第２壁５２から第１壁５１に向かって突出している。温度センサ圧入用リブ５５は、第２壁５２の先端側において先端に近づくほど第２壁５２から第１壁５１に向かう方向への突出寸法が徐々に小さくなっている。
【００４２】
温度センサ圧入用リブ５５は、第１壁５１との間で複数の温度センサ４０のうち対応する温度センサ４０を保持する。温度センサ圧入用リブ５５は、伝熱板４３における第１壁５１側とは反対側の表面４３１に当たっている。より詳細には、第１センサ保持体５０Ａでは、温度センサ圧入用リブ５５と第１壁５１とで第１温度センサ４０Ａを保持する。また、第２センサ保持体５０Ｂでは、温度センサ圧入用リブ５５と第１壁５１とで第２温度センサ４０Ｂを保持する。
【００４３】
第３壁５４ａ及び第４壁５４ｂは、第１壁５１から見て第２壁５２側とは反対側において第１壁５１との間に複数の刃形接触子１０のうち対応する刃形接触子１０の電線接続部１２を保持するように電線接続部１２の幅方向の両側それぞれに位置する。より詳細には、第３壁５４ａは、電線接続部１２の幅方向において電線保持部１４が突出している側とは反対側にある。これに対して、第４壁５４ｂは、電線接続部１２の幅方向において電線保持部１４が突出している側にある。
【００４４】
接触子圧入用リブ５６は、第３壁５４ａから第１壁５１に向かって突出している。接触子圧入用リブ５６は、第１壁５１との間で電線接続部１２を保持する。より詳細には、第１センサ保持体５０Ａでは、第３壁５４ａと接触子圧入用リブ５６と第４壁５４ｂとで、第１刃形接触子１０Ａの電線接続部１２の端部（第１電線６１が溶接されていない部分）を保持する。第２センサ保持体５０Ｂでは、第３壁５４ａと接触子圧入用リブ５６と第４壁５４ｂとで、第２刃形接触子１０Ｂの電線接続部１２の端部（第１電線６１が溶接されていない部分）を保持する。
【００４５】
複数のセンサ保持体５０の各々は、第１リブ５７と、第２リブ５８と、を更に有する。第１リブ５７は、温度センサ４０における被覆部４２の第１面４２１側において第１壁５１から電線接続部１２側とは反対側へ突出している。第１リブ５７は、第１壁５１の厚さ方向において電線接続部１２に重なる。第２リブ５８は、温度センサ４０における被覆部４２の第２面４２２側において第２壁５２から第１壁５１に向かって突出している。センサ保持体５０の各々では、第１リブ５７と第２リブ５８との距離を第１リブ５７と温度センサ圧入用リブ５５との距離よりも短くするように第２リブ５８が配置されている。
【００４６】
また、複数のセンサ保持体５０の各々は、第２壁５２から温度センサ４０の被覆部４２に向かって突出するリブ５２３を更に備えている。これにより、プラグ１では、その組立時に、温度センサ４０の被覆部４２から第１壁５１から離れる向きに移動するのを抑制することが可能となる。
【００４７】
複数のセンサ保持体５０の各々では、第１壁５１の厚さ方向においてボディ３２の周壁３２２に近い側に第３壁５４ａ及び第４壁５４ｂが位置し、ボディ３２の周壁３２２から遠い側に第２壁５２が位置している。
【００４８】
また、複数のセンサ保持体５０の各々は、第１壁５１の先端面５１１から突出する複数の突起５９が形成されている。複数の突起５９の各々は、半球状である。
【００４９】
また、複数のセンサ保持体５０の各々は、ベース部５３の厚さ方向に形成された２つの貫通孔５３１、５３２（図７、８及び９Ｂ参照）を有する。２つの貫通孔５３１、５３２のうち一方の貫通孔５３１の開口形状は、例えば円形状であり、他方の貫通孔５３２の開口形状は、例えば矩形状である。２つの貫通孔５３１、５３２は、複数の温度センサ４０のうちベース部５３に重なっている温度センサ４０に重ならない位置に形成されている。より詳細には、貫通孔５３１は、ベース部５３の厚さ方向から見て、温度センサ圧入用リブ５５における第１リブ５７側とは反対側にある。また、貫通孔５３２は、ベース部５３の厚さ方向から見て、温度センサ圧入用リブ５５と第１リブ５７との間にある。
【００５０】
本実施形態のプラグ１の組み立て方法について簡単に説明する。下記の説明はあくまでも一例であって、本実施形態のプラグ１の組み立て方法は下記の例に限定されない。
【００５１】
まず、ボディ３２内に、第１温度センサ４０Ａ及び第１刃形接触子１０Ａそれぞれを圧入した第１センサ保持体５０Ａと、第２温度センサ４０Ｂ及び第２刃形接触子１０Ｂそれぞれを圧入した第２センサ保持体５０Ｂと、第１刃形接触子１０Ａの電線接続部１２に接続された第１電線６１の一部と、第２刃形接触子１０Ｂの電線接続部１２に接続された第１電線６１の一部と、接地刃２０と、接地刃２０の接地線接続部２２に接続された接地線６２の一部と、を収納する（図７参照）。
【００５２】
その後、３本のねじ３７によりカバー３１とボディ３２とを結合することでハウジング３８を形成する（図６参照）。このとき、第１刃形接触子１０Ａ、第２刃形接触子１０Ｂ及び接地刃２０を、それぞれ、第１接触子挿通孔３１２Ａ、第２接触子挿通孔３１２Ｂ及び接地刃挿通孔３１３に挿通させる。
【００５３】
続いて、ハウジング３８及びケーブル６０の一部を金型内に配置する。その後、溶融した成形材料（例えば、塩化ビニル等）を、金型のゲートを通して金型内及びハウジング３８内に充填してから硬化させることによりモールド部３３を形成する。その後、プラグ１を金型から離型する。以上により、図１に示す本実施形態のプラグ１が得られる。
【００５４】
上記の実施形態は、本発明の様々な実施形態の一つに過ぎない。上記の実施形態は、本発明の目的を達成できれば、設計等に応じて種々の変更が可能である。
【００５５】
例えば、温度センサ４０は、ＰＴＣサーミスタに限らず、例えば、ＮＴＣサーミスタであってもよい。
【００５６】
また、複数のセンサ保持体５０の各々は、２つの貫通孔５３１、５３２を備えている構成に限らず、２つの貫通孔５３１、５３２のうち少なくとも１つを備えていればよい。
【００５７】
また、プラグ１は、必ずしもＧＢ  １００２−２００８の規格に適合するプラグである必要はない。例えば、プラグ１は、日本国のＪＩＳ規格に適合するプラグであってもよい。
【００５８】
上述の実施形態から明らかなように、第１の態様に係るプラグ１は、複数の刃形接触子１０と、複数の第１電線６１と、複数の温度センサ４０と、複数の第２電線６３と、複数のセンサ保持体５０と、ボディ３２と、カバー３１と、モールド部３３と、を備える。複数の刃形接触子１０は、それぞれ電線接続部１２を有する。複数の第１電線６１は、複数の刃形接触子１０それぞれの電線接続部１２に１本ずつ接続される。複数の温度センサ４０は、複数の刃形接触子１０の温度をそれぞれ検知する。複数の第２電線６３は、複数の温度センサ４０それぞれに１本ずつ接続される。複数のセンサ保持体５０は、複数の温度センサ４０それぞれを１つずつ保持する。ボディ３２は、一面に開口を有する箱状である。ボディ３２は、複数のセンサ保持体５０と複数の温度センサ４０と複数の第１電線６１それぞれの一部と複数の第２電線６３それぞれの一部とを収納する。カバー３１は、複数の刃形接触子１０それぞれが挿通される複数の接触子挿通孔３１２を有する。カバー３１は、ボディ３２の開口を覆うようにボディ３２に結合される。モールド部３３は、ボディ３２とカバー３１とで構成されるハウジング３８の内側及び外側をモールドしている。複数のセンサ保持体５０の各々に、複数の温度センサ４０のうち対応する温度センサ４０と、複数の刃形接触子１０のうち対応する刃形接触子１０と、がそれぞれ圧入されている。
【００５９】
上記構成によれば、プラグ１は、刃形接触子１０と温度センサ４０との距離精度を向上させることが可能となる。これにより、プラグ１では、温度センサ４０において刃形接触子１０の温度をより精度良く検知することが可能となる。
【００６０】
第２の態様に係るプラグ１では、第１の態様において、複数のセンサ保持体５０の各々は、ベース部５３と、第１壁５１及び第２壁５２と、温度センサ圧入用リブ５５と、第３壁５４ａ及び第４壁５４ｂと、接触子圧入用リブ５６と、を有する。ベース部５３は、ボディ３２内においてボディ３２の底壁３２１に対向する。第１壁５１及び第２壁５２は、それぞれベース部５３からボディ３２の底壁３２１に向かって突出し互いに対向する。温度センサ圧入用リブ５５は、第２壁５２から第１壁５１に向かって突出している。温度センサ圧入用リブ５５は、第１壁５１との間で複数の温度センサ４０のうち対応する温度センサ４０を保持する。第３壁５４ａ及び第４壁５４ｂは、第１壁５１から見て第２壁５２側とは反対側において第１壁５１との間に複数の刃形接触子１０のうち対応する刃形接触子１０の電線接続部１２を保持するように電線接続部１２の幅方向の両側それぞれに位置する。接触子圧入用リブ５６は、第３壁５４ａから第１壁５１に向かって突出している。接触子圧入用リブ５６は、第１壁５１との間で電線接続部１２を保持する。
【００６１】
上記構成によれば、プラグ１は、一対一に対応する刃形接触子１０と温度センサ４０とを第１壁５１に対して、より確実に接触させる（密着させる）ことが可能となる。これにより、プラグ１では、刃形接触子１０と温度センサ４０との距離を第１壁５１の厚さと略同じとすることが可能となり、温度センサ４０において刃形接触子１０の温度をより精度良く検知することが可能となる。
【００６２】
第３の態様に係るプラグ１では、第２の態様において、複数の刃形接触子１０の各々は、電線接続部１２と、コンタクト部１１と、連結部１３と、を備える。コンタクト部１１は、ハウジング３８の内側に位置する基端１１２及びハウジング３８の外側に位置する先端１１１を有する。コンタクト部１１は、複数の接触子挿通孔３１２のうち対応する接触子挿通孔３１２に挿通される。連結部１３は、コンタクト部１１の基端１１２と電線接続部１２におけるカバー３１側の端とを繋いでいる。複数の刃形接触子１０それぞれの連結部１３が、カバー３１の厚さ方向から見て、複数の刃形接触子１０それぞれに一対一に対応する複数のセンサ保持体５０のベース部５３に重なっている。これにより、プラグ１では、ハウジング３８の小型化を図ることが可能となる。
【００６３】
第４の態様に係るプラグ１では、第２又は第３の態様において、複数の温度センサ４０の各々は、サーミスタであり、サーミスタ素子と、被覆部４２と、一対のリード端子４４、４５と、伝熱板４３と、を有する。被覆部４２は、サーミスタ素子をモールドしている。一対のリード端子４４、４５は、被覆部４２の厚さ方向に沿った第１面４２１から突出している。伝熱板４３は、被覆部４２の第１面４２１とは反対側の第２面４２２において被覆部４２の厚さ方向の一端から突出している。温度センサ圧入用リブ５５は、伝熱板４３における第１壁５１側とは反対側の表面４３１に当たっている。これにより、プラグ１では、伝熱板４３と電線接続部１２とを第１壁５１を介して対向させることが可能となり、温度センサ４０において刃形接触子１０の温度をより精度良く検知することが可能となる。また、プラグ１では、組立時に温度センサ圧入用リブ５５が被覆部４２に当たるのを抑制することが可能となり、サーミスタ素子にストレスがかかるのを抑制することが可能となる。よって、プラグ１では、信頼性を向上させることが可能となる。
【００６４】
第５の態様に係るプラグ１では、第４の態様において、センサ保持体５０の各々は、第１リブ５７と、第２リブ５８と、を更に有する。第１リブ５７は、被覆部４２の第１面４２１側において第１壁５１から電線接続部１２側とは反対側へ突出している。第１リブ５７は、第１壁５１の厚さ方向において電線接続部１２に重なる。第２リブ５８は、被覆部４２の第２面４２２側において第２壁５２から第１壁５１に向かって突出している。センサ保持体５０の各々では、第１リブ５７と第２リブ５８との距離を第１リブ５７と温度センサ圧入用リブ５５との距離よりも短くするように第２リブ５８が配置されている。これにより、プラグ１では、例えば、組立時に温度センサ４０を第１リブ５７と第２リブ５８との間に配置することができるので、温度センサ４０の位置ずれを抑制することが可能となる。
【００６５】
第６の態様に係るプラグ１は、第２乃至第５のいずれか一つの態様において、複数の第１電線６１の各々は、導体部６１１と導体部６１１を被覆している絶縁被覆６１２とを含む絶縁被覆電線である。複数の第１電線６１の各々では、導体部６１１のうち絶縁被覆６１２により覆われていない部分が電線接続部１２に電気的に接続されている。複数の刃形接触子１０の各々は、電線保持部１４を更に備える。電線保持部１４は、電線接続部１２の幅方向の一側縁から外方へ突出している。電線保持部１４は、複数の第１電線６１のうち対応する第１電線６１を外周方向に沿って囲んで第１電線６１を保持している。これにより、プラグ１では、ハウジング３８の薄型化を図ることが可能となる。
【００６６】
第７の態様に係るプラグ１は、第２乃至第６の態様において、複数のセンサ保持体５０の各々は、第１壁５１の先端面５１１から突出する複数の突起５９が形成されている。これにより、プラグ１では、モールド部３３を成形するときにモールド部３３の成形材料を第１壁５１とボディ３２の底壁３２１との間に形成される隙間を通して流動させることが可能となるので、ハウジング３８内により確実に充填することが可能となる。よって、プラグ１では、ハウジング３８内に空洞が形成されるのを抑制することが可能となり、温度センサ４０において刃形接触子１０の温度をより精度良く検知することが可能となる。
【００６７】
第８の態様に係るプラグ１は、第２乃至第７の態様のいずれか一つの態様において、複数のセンサ保持体５０の各々は、ベース部５３の厚さ方向に形成された貫通孔を有する。貫通孔は、複数の温度センサ４０のうちベース部５３に重なっている温度センサ４０に重ならない位置に形成されている。これにより、プラグ１では、モールド部３３を成形するときにモールド部３３の成形材料をハウジング３８内により確実に充填することが可能となる。よって、プラグ１では、ハウジング３８内に空洞が形成されるのを抑制することが可能となり、温度センサ４０において刃形接触子１０の温度をより精度良く検知することが可能となる。
【００６８】
第９の態様に係るプラグ１は、第２乃至第８の態様のいずれか一つの態様において、複数の第１電線６１が、ボディ３２内においてボディ３２の周壁３２２に沿って配置されてボディ３２の底壁３２１の厚さ方向において互いに重なっている。プラグ１は、ボディ３２の底壁３２１から突出し周壁３２２との間に複数の第１電線６１のうちの少なくとも１つの第１電線６１を保持するリブ３２５を更に備える。これにより、プラグ１は、カバー３１の厚さ方向から見たモールド部３３の小型化を図ることが可能となる。また、プラグ１では、ハウジング３８内において複数の第１電線６１に作用する張力を低減することが可能となる。
【００６９】
第１０の態様に係るプラグ１は、第９の態様において、接地線接続部２２を有する接地刃２０と、接地刃２０の接地線接続部２２に接続される接地線６２と、を更に備える。カバー３１は、接地刃２０が挿通される接地刃挿通孔３１３を更に有する。プラグ１では、接地線６２の一部がボディ３２に収納されている。接地線６２は、ボディ３２内において周壁３２２に沿って配置され、ボディ３２の底壁３２１の厚さ方向において複数の第１電線６１と重なっている。これにより、プラグ１は、ハウジング３８の薄型化を図ることが可能となる。
【００７０】
第１１の態様に係るプラグ１は、第９又は第１０の態様において、複数のセンサ保持体５０の各々では、第１壁５１の厚さ方向においてボディ３２の周壁３２２に近い側に第３壁５４ａ及び第４壁５４ｂが位置し、ボディ３２の周壁３２２から遠い側に第２壁５２が位置している。これにより、プラグ１は、第１壁５１の厚さ方向においてボディ３２の周壁３２２に近い側に第２壁５２が位置している場合に比べて、モールド部３３の外部から温度センサ４０に荷重がかかるのを抑制することが可能となる。
【符号の説明】
【００７１】
１  プラグ
１０  刃形接触子
１１  コンタクト部
１１１  先端
１１２  基端
１２  電線接続部
１３  連結部
１４  電線保持部
２０  接地刃
２２  接地線接続部
３１  カバー
３１２  接触子挿通孔
３１３  接地刃挿通孔
３２  ボディ
３２１  底壁
３２２  周壁
３３  モールド部
３８  ハウジング
４０  温度センサ
４２  被覆部
４２１  第１面
４２２  第２面
４３  伝熱板
４３１  表面
４４  リード端子
４５  リード端子
５０  センサ保持体
５１  第１壁
５１１  先端面
５２  第２壁
５３  ベース部
５４ａ  第３壁
５４ｂ  第４壁
５５  温度センサ圧入用リブ
５６  接触子圧入用リブ
５７  第１リブ
５８  第２リブ
５９  突起
６１  第１電線
６１１  導体部
６１２  絶縁被覆
６２  接地線
６３  第２電線
【図１】
2018101514.tif 000003
【図２】
2018101514.tif 000004
【図３】
2018101514.tif 000005
【図４】
2018101514.tif 000006
【図５】
2018101514.tif 000007
【図６】
2018101514.tif 000008
【図７】
2018101514.tif 000009
【図８】
2018101514.tif 000010
【図９】
2018101514.tif 000011
【図１０】
2018101514.tif 000012